(57)【要約】【課題】互いに重なり合った複数の図柄を選択的に表示可能とすることにより、省スペース化および視認性の向上を図り、且つ安価な表示装置を提供する。【解決手段】透光性のフィルム８上に、緑色の光を拡散する塗料により「定員超過」の文字を描いた緑色光拡散塗膜９と、赤色の光を拡散する塗料により「救出運転中」の文字を描いた赤色光拡散塗膜１０と、を重ねて印刷して表示シート５を構成するとともに、その表示シート５の裏面側に赤色および緑色の光を選択的に発することが可能なバックライト６を配置し、バックライト６の発光色を選択切り替えすることで「定員超過」の文字または「救出運転中」の文字を選択的に発光・表示させる。【選択図】図２
2008074552.tif 000002
【特許請求の範囲】
【請求項１】
互いに異なる特定波長の光を拡散する特性を有する複数の図柄表示層を透光性基板上に重ねて配置するとともに、
この透光性基板の表側または裏側に上記複数の図柄表示層毎の特定波長の光を選択的に発光可能な面光源を配置し、
この面光源が発光する光の波長の選択切り替えに応じて上記複数の図柄表示層のうちいずれか一つの図柄表示層を選択的に発光・表示させるようになっていることを特徴とする表示装置。
【請求項２】
上記複数の図柄表示層がそれぞれ印刷による塗膜をもって形成されていることを特徴とする請求項１に記載の表示装置。
【請求項３】
面光源としてエッジライト方式のバックライトを用いていることを特徴とする請求項１または２に記載の表示装置。
【請求項４】
エレベータの乗場またはかご室に配置されることを特徴とする請求項１〜３のいずれかに記載の表示装置。
【発明の詳細な説明】
【技術分野】
【０００１】
本発明は少なくとも一部が互いに重なり合った複数の図柄を選択的に表示する表示装置に関する。
【背景技術】
【０００２】
エレベータの乗場およびかご室には、かごの運行状況等の様々な情報を乗客に伝達する表示装置が設けられている。
【０００３】
この種の表示装置として、表示対象となる図柄を印刷した透光性のシートの裏面側にバックライトを設け、そのバックライトの発する光により上記シートを透かすことで上記シートに印刷されている図柄を乗客に示すようにした技術が例えば特許文献１，２に開示されており、バックライトの点灯および消灯の切り替えによって、上記シートに印刷されている図柄の表示および非表示を切り替えるようになっている。
【特許文献１】特開２００５−１０４５９４号公報
【特許文献２】特開２００６−２１８５３号公報
【発明の開示】
【発明が解決しようとする課題】
【０００４】
特許文献１，２に記載の技術では、複数の図柄を選択的に表示する場合に、各図柄毎に独立した表示装置を設ける必要があるため、その設置スペースが大きくなり、好ましくない。特に、エレベータのかご操作盤上に表示装置を配置する場合等の表示装置の設置スペースに限りがある場合には、それぞれの図柄を小さくせざるを得ず、乗客からの視認性が低下するという問題があった。
【０００５】
また、表示装置として例えば液晶ディスプレイを用いることにより上述の課題は解決できるが、この場合にはコスト的に不利となる。
【０００６】
本発明は上記の課題に鑑み、簡素な構造で複数の図柄を同位置において選択的に表示可能とすることにより、省スペース性および視認性の向上を図り、且つ安価な表示装置を提供することを目的としている。
【課題を解決するための手段】
【０００７】
請求項１に記載の発明は、互いに異なる特定波長の光を拡散する特性を有する複数の図柄表示層を透光性基板上に重ねて配置するとともに、この透光性基板の表側または裏側に上記複数の図柄表示層毎の特定波長の光を選択的に発光可能な面光源を配置し、この面光源が発光する光の波長の選択切り替えに応じて上記複数の図柄表示層のうちいずれか一つの図柄表示層を選択的に発光・表示させるようになっていることを特徴としている。
【０００８】
ここで、上記複数の図柄表示層は少なくとも一部が互いに重なり合っていればよいことは言うまでもない。
【０００９】
したがって、少なくとも請求項１に記載の発明では、面光源が発光すると、その光の波長を特定波長とする図柄表示層が面光源の発した光を拡散し、その図柄表示層が発光・表示されることとなるため、面光源が発光する光の波長を選択切り替えすることで、発光・表示する図柄表示層を切り替えることができる。
【００１０】
その上で、請求項２に記載のように、上記複数の図柄表示層をそれぞれ印刷による塗膜をもって形成することで、上記複数の図柄表示層を容易に製造することができ、コストの面でより好ましいものとなる。
【００１１】
さらに好ましくは、請求項３に記載のように、面光源としてエッジライト方式のバックライトを用いると、表示装置が薄型のものとなるメリットがある。
【００１２】
より具体的には、例えば請求項４に記載のように、エレベータの乗場またはかご室に配置されるものとする。
【発明の効果】
【００１３】
請求項１に記載の発明によれば、面光源の発する光の波長を選択切り替えして発光・表示する図柄表示層を切り替えることにより、簡素な構造をもって同位置に複数の図柄を選択的に表示することが可能となり、省スペース性および視認性が向上するメリットがある上に、コスト的に有利となるメリットがある。
【発明を実施するための最良の形態】
【００１４】
図１は本発明のより具体的な実施の形態としてエレベータのかご室に設けられたかご操作盤を示す正面図である。また、図２の（ａ）は図１におけるＡ−Ａ断面図であって、図２の（ｂ）は図２の（ａ）におけるＢ矢視図である。
【００１５】
図１に示すようにかご操作盤１の上部には、かご位置表示器２のほか、第一の緊急用表示装置３および第二の緊急用表示装置４がそれぞれ設けられている。各緊急用表示装置３，４は図２の（ａ）に示すように表示シート５およびその表示シート５の裏面側に配置されたいわゆるエッジライト方式の面光源たるバックライト６からそれぞれ構成されているとともに、図２の（ｂ）に示すように各緊急用表示装置３，４のバックライト６同士の間には遮光板７が配置されていて、各緊急用表示装置３，４がそれぞれ独立して表示を行うようになっている。
【００１６】
ここで、各緊急用表示装置３，４は互いにほぼ同様の構造を有しているが、代表例として第一の緊急用表示装置３について以下に説明する。
【００１７】
バックライト６は、長波長の光を発する赤色ＬＥＤ１２Ｒおよび短波長の光を発する緑色ＬＥＤ１２Ｇを直線状にそれぞれ交互に配置したＬＥＤユニット１２と矩形状の導光板１１により構成されている。なお、導光板１１はアクリル製であるとともに、導光板１１のうち左右方向両端面および表示シート５と対向する面を除く面は図示外の白いマスクフィルムに覆われている。
【００１８】
ＬＥＤユニット１２は導光板１１のうち左右方向両端面にそれぞれ対向配置されていて、各ＬＥＤ１２Ｇ，１２Ｒがそれぞれ独立して点灯可能となっている。すなわち、各ＬＥＤ１２Ｇ，１２Ｒのうちいずれか一方を選択的に点灯することで、その光が導光板１１内に入射して導光板１１の全面に導かれ、導光板１１全面が赤色または緑色で均一に面発光することとなる。換言すれば、各ＬＥＤ１２Ｇ，１２Ｒはそれぞれ異なる波長の光を発するようになっていて、赤色ＬＥＤ１２Ｒを点灯することで導光板１１が赤色に相当する波長で面発光する一方で、緑色ＬＥＤ１２Ｇを点灯することで導光板１１が緑色に相当する波長で面発光することになる。
【００１９】
他方、表示シート５は図２の（ａ）に示すように透光性のフィルム８を基板とし、そのフィルム８上に例えば「定員超過」の文字を描いた図柄表示層たる緑色光拡散塗膜９および例えば「救出運転中」の文字を描いた図柄表示層たる赤色光拡散塗膜１０を重ね合わせたいわゆる積層構造のものとして構成されている。そして、表示シート５はかご操作盤１のベースプレート１ａに形成された開口部１ｂを閉塞するように配置されていて、表示シート５の表面がベースプレート１の表面と面一となっている。
【００２０】
図３は第一の緊急用表示装置３の表示内容を示す説明図であって、図３の（ａ）は緑色光拡散塗膜９の表示内容を示しているとともに、図３の（ｂ）は赤色光拡散塗膜１０の表示内容を示している。
【００２１】
より詳細には、図３の（ａ）に示すように、緑色光拡散塗膜９は、「定員超過」の文字部９Ｇに緑色に相当する波長の光を拡散する塗料を、その文字部９Ｇを除く部位に赤色に相当する波長の光を透過するとともに緑色に相当する波長の光を吸収する塗料を、印刷によってそれぞれ塗布することで形成されている。一方、図３の（ｂ）に示すように、赤色光拡散塗膜１０は、「救出運転中」の文字部１０Ｒに赤色に相当する波長の光を拡散する塗料を、その文字部１０Ｒを除く部位に緑色に相当する波長の光を透過するとともに赤色に相当する波長の光を吸収する塗料を、印刷によってそれぞれ塗布することで形成されている。言い換えれば、各塗膜９，１０はそれぞれ互いに異なる波長の光を拡散する特性を有している。さらに、両塗膜９，１０はともに透光性を有していて、フィルム８および両塗膜９，１０を重合させてなる表示シート５をバックライト６の発する光が透過するようになっている。
【００２２】
なお、表示内容を変更可能とすべく表示シート５をベースプレート１ａおよび導光板１１から分離可能に構成することが望ましいが、表示内容の変更を要しない場合には、導光板１１を透光性基板としてスクリーン印刷を施すことで各塗膜９，１０を形成するようにしてもよい。また、各塗膜９，１０をそれぞれ別のフィルムに印刷することで、緑色光拡散塗膜９を有する表示シートと赤色光拡散塗膜１０を有する表示シートをそれぞれ独立して交換可能に構成してもよい。
【００２３】
以上のように構成した表示装置では、第一の緊急用表示装置３の緑色ＬＥＤ１２Ｇを点灯して導光板１１を緑色に面発光させると、その緑色の光は赤色光拡散塗膜１０を透過して緑色光拡散塗膜９の文字部９Ｇで拡散するとともに、その文字部９Ｇを除く部位では緑色の光が吸収されるため、図３の（ａ）に示すように「定員超過」の文字が発光・表示される。
【００２４】
一方、第一の緊急用表示装置３の赤色ＬＥＤ１２Ｒを点灯して導光板１１を赤色に面発光させると、その赤色の光が赤色光拡散塗膜１０のうち文字部１０Ｒで拡散して緑色光拡散塗膜９を透過するとともに、その文字部１０Ｒを除く部位では赤色の光が吸収されるため、図３の（ｂ）に示すように「救出運転中」の文字が発光・表示される。すなわち、バックライト６の発光色を選択切り替えすることにより、「定員超過」の文字および「救出運転中」の文字のうちいずれか一方が選択的に表示されることとなる。
【００２５】
図４は第二の緊急用表示装置４の表示内容を示す説明図であって、図４の（ａ）は緑色光拡散塗膜１３の表示内容を示しているとともに、図４の（ｂ）は赤色光拡散塗膜１４の表示内容を示している。
【００２６】
また、図４の（ａ）に示すように第二の緊急用表示装置４のうち緑色光拡散塗膜１３には「しばらくお待ちください」の文字部１３Ｇがスクリーン印刷により形成されている一方で、図４の（ｂ）に示すように赤色光拡散塗膜１４には「降りてください」の文字部１４Ｒがスクリーン印刷により形成されていて、第二の緊急用表示装置４は「しばらくお待ちください」の文字および「降りてください」の文字のうちいずれか一方を選択的に表示するようになっている。
【００２７】
したがって、本実施の形態における表示装置によれば、重ね合わせて配置された二つの図柄のうちいずれか一方を選択的に表示することが可能であるため、表示装置の省スペース化が図れるとともに、それぞれの文字を大きく表示することで表示の視認性が向上するメリットがある。
【００２８】
その上、表示フィルム５はスクリーン印刷により容易に製造可能である上に、各ＬＥＤ１２Ｇ，１２Ｒのうち点灯するＬＥＤを選択切り替えするだけで表示する図柄を容易に変更することができるため、コスト的に有利となるメリットがある。
【００２９】
なお、本実施の形態では、ベースプレート１ａに開口部１ｂを形成し、表示シート５の表面とベースプレート１ａの表面とが面一となるようにしたが、各緊急用表示装置３，４は薄型のものとして形成されているため、各緊急用表示装置３，４をいわゆる壁掛け式としてベースプレート１ａの表面上に配置し、ベースプレート１ａの開口部１ｂを省略することも可能である。
【図面の簡単な説明】
【００３０】
【図１】本発明の実施の形態を示す図であって、エレベータのかご操作盤を示す正面図。
【図２】同図（ａ）は図１におけるＡ−Ａ断面図、同図（ｂ）は同図（ｂ）におけるＢ矢視図。
【図３】第一の緊急用表示装置の表示内容を示す説明図。
【図４】第二の緊急用表示装置の表示内容を示す説明図。
【符号の説明】
【００３１】
６…バックライト（面光源）
８…フィルム（透光性基板）
９…緑色光拡散塗膜（図柄表示層）
１０…赤色光拡散塗膜（図柄表示層）
１３…緑色光拡散塗膜（図柄表示層）
１４…赤色光拡散塗膜（図柄表示層）
【図１】
2008074552.tif 000003
【図２】
2008074552.tif 000004
【図３】
2008074552.tif 000005
【図４】
2008074552.tif 000006